(57)【要約】【課題】使用環境条件あるいは使い方に応じた適切な空気清浄動作を実施する空気清浄機を得ること。【解決手段】空気清浄機１は、給気口２と、排気口３と、給気口２と排気口３とを連通する通風路６とを有する本体ケース４と、本体ケース４に設けられ、給気口２から室内空気を取り込み排気口３から排出する送風手段である送風機５と、通風路６に設けられ、給気口２から取り込んだ室内空気を清浄にする複数の空気清浄手段である電気集塵機８およびＨＥＰＡフィルタ９と、送風手段の運転を制御するとともに、室内の空気汚れ成分の量に基づいて複数の空気清浄手段の機能をそれぞれ有効もしくは無効にする制御手段である制御部１３とを備え、制御手段は、空気汚れ成分の量が第１の閾値より多く、第２の閾値より少ない場合に、複数の空気清浄手段のうちの第１の空気清浄手段および第２の空気清浄手段の機能を有効にする。【選択図】図１
2020109350.tif 000002
【特許請求の範囲】
【請求項１】
給気口と、排気口と、前記給気口と前記排気口とを連通する通風路とを有する本体ケースと、
前記本体ケースに設けられ、前記給気口から室内空気を取り込み前記排気口から排出する送風手段と、
前記通風路に設けられ、前記給気口から取り込んだ室内空気を清浄にする複数の空気清浄手段と、
前記送風手段の運転を制御するとともに、室内の空気汚れ成分の量に基づいて前記複数の空気清浄手段の機能をそれぞれ有効もしくは無効にする制御手段と、を備え、
前記制御手段は、
前記空気汚れ成分の量が第１の閾値より多く、第２の閾値より少ない場合に、前記複数の空気清浄手段のうちの第１の空気清浄手段および第２の空気清浄手段の機能を有効にする
ことを特徴とする空気清浄機。
【請求項２】
前記制御手段は、
前記第１の空気清浄手段および前記第２の空気清浄手段の機能が有効でかつ前記空気汚れ成分の量が第１の閾値より多く第２の閾値より少ない状態があらかじめ設定された時間を超えて継続した場合に、前記第２の空気清浄手段の機能を無効にする
ことを特徴とする請求項１に記載の空気清浄機。
【請求項３】
前記空気汚れ成分は塵埃である
ことを特徴とする請求項１または２に記載の空気清浄機。
【請求項４】
前記空気汚れ成分は臭気である
ことを特徴とする請求項１または２に記載の空気清浄機。
【請求項５】
前記本体ケース内に、前記複数の空気清浄手段のうちの少なくとも１つの空気清浄手段が設置されている通風路における区間と並列に設けられたバイパス風路をさらに備え、
前記バイパス風路側に前記室内空気を通すことにより、前記少なくとも１つの空気清浄手段の機能を無効にする
ことを特徴とする請求項１から４のいずれか一項に記載の空気清浄機。
【発明の詳細な説明】
【技術分野】
【０００１】
本発明は、対象空間の汚れた空気を清浄にする空気清浄機に関するものである。
【背景技術】
【０００２】
空気清浄機は、対象とする部屋の空気中の汚れすなわち塵埃、臭い等を除去して空気を清浄にする働きを有する機器である。このような空気清浄機として、例えば特許文献１に示すようなものがある。特許文献１には、空気清浄装置において汚染空気中の粉塵を取り除く手段として、電気集塵およびＨＥＰＡフィルタ（High  Efficiency  Particulate  Air  Filter）が開示されている。
【０００３】
ここで、電気集塵とは、金属製の電極間に数ｋＶ（例えば１０ｋＶ）の高電圧を印加することで放電空間を形成し、そこを通過する空気中の塵をプラスまたはマイナスに帯電させ、その帯電した塵を、塵とは反対電位である導電性の集塵フィルタにクーロン力で吸着させて集塵する方法である。電気集塵機は以下のような特徴がある。
（１）一般住宅向けの空気清浄機に搭載するような小型のものであれば、集塵率は数１０％程度（例えば６０％）であり、ＨＥＰＡフィルタに比べると低い。
（２）電極間の空隙は数ｍｍ〜１０数ｍｍ（例えば１０ｍｍ）と大きいため、圧力損失が数Ｐａ〜数１０Ｐａ（例えば１０Ｐａ）と低い。
（３）金属製の電極および集塵フィルタは水洗い等の清掃が可能であるため、一般的に取り換え交換不要である。
【０００４】
また、ＨＥＰＡフィルタは、主に直径１μｍ〜１０μｍ以下のガラス繊維でできており、繊維間の空隙は数１０μｍの大きさをもつ。ＪＩＳ規格では「定格風量で粒径が０．３μｍの粒子に対して９９．９７％以上の粒子捕集率（集塵率）をもち、かつ初期圧力損失が２４５Ｐａ以下の性能を持つエアフィルタ」をＨＥＰＡフィルタと定めている。ＨＥＰＡフィルタは非常に脆く、目詰まりした場合に洗浄することが困難であるため、一定時間使用した後は取り換え交換を行うのが一般的である。
【先行技術文献】
【特許文献】
【０００５】
【特許文献１】特開２００２−１７４４４３号公報
【発明の概要】
【発明が解決しようとする課題】
【０００６】
このような従来の空気清浄機の集塵手段として、ＨＥＰＡフィルタは集塵能力は高いが汚れたら交換が必要であり、電気集塵は交換不要（洗浄可能）だが集塵能力はＨＥＰＡフィルタより劣っている。すなわち、従来の空気清浄機では、搭載している空気清浄手段によって実施可能な空気清浄動作の特徴が決まり、空気の汚染具合などの使用環境条件あるいはユーザーにとっての使い易さなどに応じた適切な空気清浄動作を実施することが困難であった。
【０００７】
この発明は、上記のような課題を解決するためになされたものであり、使用環境条件あるいは使い方に応じた適切な空気清浄動作を実施する空気清浄機を提供することを目的とする。
【課題を解決するための手段】
【０００８】
この発明にかかる空気清浄機は、給気口と、排気口と、給気口と排気口とを連通する通風路とを有する本体ケースと、本体ケースに設けられ、給気口から室内空気を取り込み排気口から排出する送風手段と、通風路に設けられ、給気口から取り込んだ室内空気を清浄にする複数の空気清浄手段と、送風手段の運転を制御するとともに、室内の空気汚れ成分の量に基づいて複数の空気清浄手段の機能をそれぞれ有効もしくは無効にする制御手段とを備え、制御手段は、空気汚れ成分の量が第１の閾値より多く、第２の閾値より少ない場合に、複数の空気清浄手段のうちの第１の空気清浄手段および第２の空気清浄手段の機能を有効にすることを特徴とする。
【発明の効果】
【０００９】
この発明は上記のように構成したので、空気の汚れ具合などの使用環境条件あるいはユーザーの使い方などに応じた適切な空気清浄動作を実施する空気清浄機を提供することができる。
【図面の簡単な説明】
【００１０】
【図１】この発明の実施の形態１にかかる空気清浄機の断面構成図である。
【図２】この発明の実施の形態１にかかる空気清浄機のバイパス風路閉鎖時の運転状態を示す図である。
【図３】この発明の実施の形態１にかかる空気清浄機のバイパス風路開放時の運転状態を示す図である。
【図４】この発明の実施の形態１にかかる空気清浄機の空気汚れ量に応じた空気清浄手段の機能切替えの一例を示す図である。
【図５】この発明の実施の形態１にかかる空気清浄機の制御の一例を示すフローチャート図である。
【図６】この発明の実施の形態１にかかる空気清浄機の空気汚れ量に応じた空気清浄手段の機能切替えの他の例を示す図である。
【図７】この発明の実施の形態１にかかる空気清浄機の空気汚れ量に応じた空気清浄手段の機能切替えのさらに他の例を示す図である。
【図８】この発明の実施の形態１にかかる空気清浄機の空気汚れ量に応じた空気清浄手段の機能切替えの別の例を示す図である。
【図９】この発明の実施の形態２にかかる空気清浄機の制御の一例を示すフローチャート図である。
【図１０】この発明の実施の形態２にかかる空気清浄機の制御の他の例を示すフローチャート図である。
【図１１】この発明の実施の形態３にかかる空気清浄機の断面構成図である。
【図１２】この発明の実施の形態４にかかる空気清浄機の断面構成図である。
【図１３】この発明の実施の形態４にかかる空気清浄機の制御の一例を示すフローチャート図である。
【図１４】この発明の実施の形態５にかかる空気清浄機の断面構成図である。
【図１５】この発明の実施の形態６にかかる空気清浄機の断面構成図である。
【図１６】実施の形態１から６の空気清浄機における制御部の機能が専用のハードウェアにより実現される場合の制御部の構成図である。
【図１７】実施の形態１から６の空気清浄機における制御部の機能が、メモリに格納されるプログラムを実行するプロセッサにより実現される場合の制御部の構成図である。
【発明を実施するための形態】
【００１１】
以下、本発明にかかる空気清浄機の実施の形態を図面に基づいて詳細に説明する。
【００１２】
実施の形態１．
図１はこの発明の実施の形態１にかかる空気清浄機の断面構成図、図２および図３は空気清浄機のバイパス風路閉鎖および開放時の運転状態を示す図、図４，図６〜図８は空気汚れ量に応じた空気清浄手段の機能切替えの例を示す図、図５は空気清浄機の制御を示すフローチャート図である。
【００１３】
まず、図１を用いて実施の形態１にかかる空気清浄機１の構成を説明する。図１において、空気清浄機１は、空気清浄機１が設置されている部屋の室内空気を取り込むための給気口２と、後述する空気清浄手段により清浄にした空気を室内へ供給するための排気口３とが設けられた本体ケース４を有し、本体ケース４内には給気口２と排気口３とを連結する通風路６と、通風路６内に配置されたファン５ａとモータ５ｂとからなる送風手段としての送風機５とを備えている。また、通風路６内に、給気口２から見てファン５ａより下流側に、取り込んだ空気に対して電気集塵を行う空気清浄手段であり第１の空気清浄手段としての電気集塵機８と、電気集塵機８のさらに下流側に、電気集塵機８を通過した空気に対して集塵を行う空気清浄手段であり第２の空気清浄手段としてのＨＥＰＡフィルタ９とが配置されている。また、通風路６内には、電気集塵機８を通過した空気をＨＥＰＡフィルタ９を通さずに排気口３へと導くバイパス風路７と、電気集塵機８を通過した空気をＨＥＰＡフィルタ９側に通すかあるいはバイパス風路７側に通すかを切り替えるためのダンパ１０とが設けられている。さらに、空気清浄機１は、送風機５、電気集塵機８、ダンパ１０の動作を制御する制御手段としての制御部１３を有し、制御部１３には通信線１２を介してリモートコントローラ１１が接続されている。なお、以下の説明では、リモートコントローラをリモコンと称する。リモコン１１内には、室内空気の塵の量を検知するダストセンサ１４が備えられており、リモコン１１に対するボタン操作（空気清浄運転の開始または停止など）およびダストセンサ１４によって検知した室内空気の塵の量に基づく動作指令を制御部１３に送信する。
【００１４】
なお、図１において、実線の矢印Ａは送風機５によって給気口２から電気集塵機８およびＨＥＰＡフィルタ９を通過して排気口３から排出される空気の流れを示したものであり、点線の矢印ＢはＨＥＰＡフィルタ９を通らずにバイパス風路７を経由して排気口３から排出される空気の流れを示したものである。
【００１５】
電気集塵機８は、１０ｋＶ程度の高電圧が印加される金属製のプラス電極（図示せず）と、アース電位と同等電位となる金属製のアース電極（図示せず）と、プラス電極およびアース電極に対し通風路６の後段にアース電位と同等電位となる導電性の集塵フィルタ（図示せず）を配置して構成されている。プラス電極とアース電極間に高電圧を印加し放電空間を形成することで、放電空間を通過する塵に帯電させ、帯電した塵をアース電極または集塵フィルタにクーロン力で吸着させて集塵するものである。
【００１６】
ＨＥＰＡフィルタ９は、直径１μｍ〜１０μｍ程度または１０μｍ以下のガラス繊維で形成され、繊維間の空隙が数１０μｍ程度となっている。前述したように、電気集塵機８に比べ高い集塵率を有している。
【００１７】
次に、図２、図３を用いて空気清浄機１の基本動作について簡単に説明する。図２は空気清浄機のバイパス風路閉鎖時の運転状態を示す図である。ダンパ１０の切替え制御により、バイパス風路７が閉鎖されると、電気集塵機８を通過した空気は全てＨＥＰＡフィルタ９を通過して排気口３から室内に供給されることになる。図２内に示した矢印がバイパス風路７閉鎖時の空気の流れを示している。
【００１８】
図３は空気清浄機のバイパス風路開放時の運転状態を示す図である。ダンパ１０の切替え制御により、バイパス風路７が開放されると、電気集塵機８を通過した空気はＨＥＰＡフィルタ９を通過せず、全てバイパス風路７を通過して排気口３から室内に供給されることになる。図３内に示した矢印がバイパス風路７開放時の空気の流れを示している。すなわち、ダンパ１０を制御してバイパス風路７を閉鎖または開放することによって、ＨＥＰＡフィルタ９に空気を通過させるかどうかの切替え、言い換えると、ＨＥＰＡフィルタ９の機能を有効にするかあるいは無効にするかの切替えが可能である。なお、電気集塵機８については、電気集塵機８の電極への高電圧印加を行うか行わないかで、その機能を有効にするかあるいは無効にするかの切替えが可能である。
【００１９】
制御部１３は上述したダンパ１０の切替え制御と電気集塵機８の電源制御（電極への高電圧の印加のオンとオフ）との組み合わせにより、空気清浄機１の運転モードを決定する。運転モードには以下の３つがある。
（１）電気集塵機８およびＨＥＰＡフィルタ９を用いた集塵（ダブル集塵運転）
（２）電気集塵機８のみを用いた集塵（電気集塵運転）
（３）ＨＥＰＡフィルタ９のみを用いた集塵（ＨＥＰＡ集塵運転）
【００２０】
次に、それぞれの運転モードの特徴を示す。
（１）ダブル集塵運転
電気集塵機８を運転（電極間に高電圧を印加）して電気集塵し、さらにダンパ１０によりバイパス風路７を閉鎖することでＨＥＰＡフィルタ９でも集塵する。これによって、非常に高い集塵率が得られる。また、電気集塵を行った後の空気をＨＥＰＡフィルタ９に通すことで、ＨＥＰＡフィルタ９での集塵量を軽減できるため、ＨＥＰＡフィルタ９の交換周期を長くすることができる。
（２）電気集塵運転
電気集塵機８を運転（電極間に高電圧を印加）して電気集塵し、ダンパ１０によりバイパス風路７を開放することで電気集塵後の空気をＨＥＰＡフィルタ９側ではなくバイパス風路７側を通過させる。したがって、ＨＥＰＡフィルタ９による集塵は行わない。これによって、集塵率はダブル集塵運転に比べると低下するが、ＨＥＰＡフィルタ９に塵が付着することを抑制できるため、ＨＥＰＡフィルタ９の交換周期を長くすることができる。
（３）ＨＥＰＡ集塵運転
電気集塵機８を停止（電極間に高電圧を印加しない）することで電気集塵は行わないが、ダンパ１０によりバイパス風路７を閉鎖することで、電気集塵機８を通過してきた空気をＨＥＰＡフィルタ９で集塵する。これによって、ダブル集塵運転よりも集塵率はわずかに劣るものの、ほぼ同等の高い集塵率が得られる。また、電気集塵を行わないため、消費電力を削減できる。
【００２１】
次に、図４および図５を用いて、空気清浄機１の制御部１３がダストセンサ１４によって検知した空気中の塵埃の量に基づいて３つの運転モードから１つを選択して行う空気清浄運転の動作について説明する。図４は空気汚れ量に応じた空気清浄手段の機能切替えの一例を示す図であり、図５はその場合の空気清浄機の制御を示すフローチャート図である。
【００２２】
図４において、制御部１３は、２つの閾値すなわち塵埃量レベルの少ない側の第一の閾値と、塵埃量レベルの多い側の第二の閾値とを持っている。ダストセンサ１４が検知した塵埃の量が第一の閾値未満である場合は、電気集塵機８では集塵量が少ないため現状よりも室内空気中の塵の量を減らす効果があまり期待できないが、ＨＥＰＡフィルタ９では高い集塵効果が得られるため、運転モードを（３）ＨＥＰＡ集塵運転（電気集塵機能：無効（高電圧停止）、ＨＥＰＡ集塵機能：有効（空気をＨＥＰＡフィルタ９側に通す））とする。この場合、第一の閾値未満のきれいな空気に対して集塵を行うため、ＨＥＰＡフィルタ９の集塵量を軽減できる。また、集塵効果の期待できない電気集塵機８を停止することで無駄な消費電力を削減することができる。なお、図４と、後述する図６、図７および図８において、「○」は有効を表し、「×」は無効を表すものとする。制御部１３は、塵埃量が第一の閾値より少ない場合と、塵埃量が第二の閾値以上である場合と、塵埃量が第一の閾値以上かつ第二の閾値より少ない場合とで、電気集塵機８の機能とＨＥＰＡフィルタ９の機能とを有効または無効にする組合せをそれぞれ異なったものとする。
【００２３】
ダストセンサ１４が検知した塵埃の量が第一の閾値以上で第二の閾値未満である場合は、室内空気が汚れているため高い集塵率が必要であるが、ＨＥＰＡフィルタ９のみで集塵するとＨＥＰＡフィルタ９での集塵量が多くなることから、ＨＥＰＡフィルタ９の交換周期を短くしてしまう恐れがある。そこで、運転モードを（１）ダブル集塵運転（電気集塵機能：有効（高電圧印加）、ＨＥＰＡ集塵機能：有効（空気をＨＥＰＡフィルタ９側に通す））とする。この場合、電気集塵機８で集塵した後の空気に対してＨＥＰＡフィルタ９による集塵を行うため、ＨＥＰＡフィルタ９での集塵量を軽減できる。
【００２４】
ダストセンサ１４が検知した塵埃の量が第二の閾値以上である場合は、室内空気が著しく汚れているためＨＥＰＡフィルタ９を用いて集塵を行うと、電気集塵機８と併用した場合であってもＨＥＰＡフィルタ９での集塵量が多くなり、ＨＥＰＡフィルタ９の交換周期を短くしてしまうので、運転モードを（２）電気集塵運転（電気集塵機能：有効（高電圧印加）、ＨＥＰＡ集塵機能：無効（空気をバイパス風路７側に通す））とする。この場合、空気中の塵埃の量が元々多いため、比較的集塵率の低い電気集塵機８のみを運転しても、集塵効果が期待できる。また、ＨＥＰＡフィルタ９を用いないため、ＨＥＰＡフィルタ９の交換周期を長くすることができる。
【００２５】
次に、図４に示した、空気中の塵埃の量に基づく空気清浄機１の運転制御の流れを、図５により説明する。空気清浄機１の制御部１３は、リモコン１１からの運転指令により空気清浄運転を開始する。まず、図５のステップＳ１で送風機５を運転すると、給気口２から通風路６を通って排気口３に向かう気流が発生する。これによって、室内の空気が給気口２から取り込まれる。一方、リモコン１１に設けられたダストセンサ１４が室内の空気中の塵埃量を測定する（ステップＳ２）。制御部１３は、ステップＳ２で測定された塵埃量と第二の閾値とを比較する（ステップＳ３）。ここで、塵埃量≧第二の閾値であればステップＳ４に進み、電気集塵機８をオン（電極間に高電圧を印加）にするとともにダンパ１０によりバイパス風路７を開放する。したがって、給気口２から取り込まれた空気は、電気集塵動作を行っている電気集塵機８のみを通過し、バイパス風路７を経由して排気口３から室内に再び供給される（（２）電気集塵運転を実施）。
【００２６】
ステップＳ３にて、塵埃量＜第二の閾値であればステップＳ５に進み、制御部１３は、ステップＳ２で測定された塵埃量と第一の閾値とを比較する。ここで、塵埃量≧第一の閾値であればステップＳ６に進み、電気集塵機８をオン（電極間に高電圧を印加）にするとともにダンパ１０によりバイパス風路７を閉鎖する。したがって、給気口２から取り込まれた空気は、電気集塵動作を行っている電気集塵機８およびＨＥＰＡフィルタ９を通過し、排気口３から室内に再び供給される（（１）ダブル集塵運転を実施）。
【００２７】
ステップＳ５にて、塵埃量＜第一の閾値であればステップＳ７に進み、電気集塵機８をオフ（電極間に電圧を印加しない）にするとともにダンパ１０によりバイパス風路７を閉鎖する。したがって、給気口２から取り込まれた空気は、電気集塵動作を行っていない電気集塵機８とＨＥＰＡフィルタ９とを通過し、排気口３から室内に再び供給される（（３）ＨＥＰＡ集塵運転を実施）。
【００２８】
ステップＳ４、ステップＳ６、ステップＳ７の処理後はステップＳ２に戻って以降の制御を繰り返す。なお、第一の閾値、第二の閾値は、出荷時に制御部１３に設定してもよいし、ユーザーがリモコン１１の操作によって設定してもよい。また、ステップＳ７において、室内空気が極めてきれいなので集塵動作は必要ないと判断し、電気集塵機８をオフにするとともにダンパ１０によりバイパス風路７を開放するようにしてもよい。
【００２９】
なお、空気清浄運転を開始させるための運転指令は、リモコン１１のボタン操作によって発信されるだけでなく、空気清浄機１が停止状態であってダストセンサ１４で検知された塵埃量が第一の閾値以上あるいは第二の閾値以上になった場合にも発信されて、自動的に空気清浄運転（（１）ダブル集塵運転あるいは（２）電気集塵運転）に移行するようにしてもよい。
【００３０】
以上の制御によれば、室内の空気が著しく汚れている場合は集塵能力の低い電気集塵機８でも十分な空気清浄が可能であるため、電気集塵機８を主に動作させ、また室内の空気が比較的きれいな場合はより清浄にするためにＨＥＰＡフィルタ９を主に機能させることができる。
【００３１】
また、室内の空気が著しく汚れている場合はＨＥＰＡフィルタ９を通過させず、室内の空気が比較的きれいな場合にＨＥＰＡフィルタ９を通過させるようにしているため、ＨＥＰＡフィルタ９での集塵量が軽減されてＨＥＰＡフィルタ９の交換周期を長くすることができる。なお、室内の空気が比較的汚れている場合に実施するダブル集塵運転においても、電気集塵動作を行っている電気集塵機８の後段にＨＥＰＡフィルタ９を配置しているため、ＨＥＰＡフィルタ９での集塵量が軽減され、交換周期を長くすることができる。
【００３２】
また、上記の説明においては図４および図５の例を用いたが、図６および図７に示す制御を実施しても同様の効果が得られる。図６は、空気清浄機１の運転モードをダブル集塵運転、電気集塵運転のみとし、この２モード間で運転モードを切り替えるようにした制御例を示したものである。制御部１３は、ダストセンサ１４が検知した塵埃の量が第二の閾値未満である場合は運転モードをダブル集塵運転として、ダストセンサ１４が検知した塵埃の量が第二の閾値以上である場合は運転モードを電気集塵運転とする。この場合、塵埃量が第一の閾値未満のきれいな空気状態であっても、図４のようにＨＥＰＡ集塵運転を行わず、運転モードはダブル集塵運転を継続するので、ＨＥＰＡフィルタ９での集塵量を軽減し、ＨＥＰＡフィルタ９の交換周期をさらに長くすることができる。なお、図６の第二の閾値は図４の第二の閾値と同じ値でなくてもよい。
【００３３】
図７は、空気清浄機１の運転モードを電気集塵運転、ＨＥＰＡ集塵運転のみとし、この２モード間で運転モードを切り替えるようにした制御例を示したものである。制御部１３は、ダストセンサ１４が検知した塵埃の量が第一の閾値未満である場合は運転モードをＨＥＰＡ集塵運転として、ダストセンサ１４が検知した塵埃の量が第一の閾値以上である場合は運転モードを電気集塵運転とする。この場合、塵埃量が少ないとき（第一の閾値未満）のみにＨＥＰＡフィルタ９での集塵を行うため、ＨＥＰＡフィルタ９の交換周期をさらに長くすることができる。なお、図７の第一の閾値は図４の第一の閾値と同じ値でなくてもよい。図４の第二の閾値と同じであってもいいし、図４の第一の閾値と第二の閾値との中間の値であってもよい。
【００３４】
図４、図６および図７では、空気中の塵埃を捕集して清浄にするために、電気集塵機８およびＨＥＰＡフィルタ９という異なる方式の空気清浄手段を空気中の塵埃量と閾値との比較により切り替えて使用する事例を示したが、複数の空気清浄手段として同じ方式で能力が異なる組合せでもよいし、同じ方式で価格が異なる組合せでもよい。例えば、価格の高い空気清浄手段の交換周期ができるだけ長くなるように使用することが可能である。
【００３５】
また、能力が異なる空気清浄手段の組合せで使用する場合は、次のような使い方が可能である。図８は、高能力の空気清浄手段および低能力の空気清浄手段を備えた空気清浄機の切替え制御を示す事例である。空気の汚れ成分量Ｄに対し、２レベルの閾値（第一の閾値、第二の閾値）を設定しておくものとする。空気の汚れ成分量Ｄが多い場合（Ｄ≧第二の閾値）、高能力の空気清浄手段および低能力の空気清浄手段の両方の機能が有効になるように制御する。すなわち、空気清浄機１はフルパワーで運転し、速やかな空気の清浄化を図る。また、空気の汚れ成分量Ｄが中程度の場合（第二の閾値＞Ｄ≧第一の閾値）、高能力の空気清浄手段のみの機能を有効にし、低能力の空気清浄手段の機能を無効にするように制御する。すなわち、空気清浄機１はミドルパワーで運転する。また、空気の汚れ成分量Ｄが少ない場合（第一の閾値＞Ｄ）、高能力の空気清浄手段の機能を無効にし、低能力の空気清浄手段の機能のみを有効にするように制御する。すなわち、空気清浄機１はローパワーで運転する。制御部１３は、塵埃量が第一の閾値より少ない場合と、塵埃量が第二の閾値以上である場合と、塵埃量が第一の閾値以上かつ第二の閾値より少ない場合とで、高能力の空気清浄手段の機能と低能力の空気清浄手段の機能とを有効または無効にする組合せをそれぞれ異なったものとする。
【００３６】
したがって、図４、図６および図７の場合と同様に、空気の汚れ具合などの使用環境条件に応じた適切な空気清浄運転を行い、快適な空気環境を提供することが可能である。なお、上記説明では２つの空気清浄手段と１つのダンパ１０を用いて空気清浄方法を切り替えたが、３つ以上の空気清浄手段または２つ以上のダンパを用いても同様の切替え制御を行うことが可能である。
【００３７】
実施の形態１の空気清浄機１は上記のように構成されているため、空気の汚れ具合などの使用環境条件に応じた適切な空気清浄運転を行い、快適な空気環境を提供することが可能である。また、図４、図６および図７のような構成とした場合は、ＨＥＰＡフィルタ９などの交換が必要な空気清浄手段に対し、適切な運転モードでの動作によって交換周期を長くすることが可能となるので、交換に伴う作業および費用を軽減することができる。
【００３８】
また、実施の形態１の空気清浄機１は、リモコン１１に備わるダストセンサ１４で検知された塵埃量に基づいて空気清浄運転を実施していたが、塵埃量の情報はリモコン１１に備わるダストセンサ１４だけでなく、空気清浄機１以外の他の機器が検知した塵埃量を有線または無線による通信手段で取得するようにしてもよい。
【００３９】
実施の形態２．
実施の形態１における空気清浄機１では、室内の空気中の汚れ成分量とあらかじめ設定された閾値との比較の結果により、複数の空気清浄手段による運転モードを切り替えて空気清浄動作を行う構成とした。実施の形態２における空気清浄機１では、さらに所定の運転モードでの経過時間を考慮して複数の空気清浄手段による運転モードを切り替える構成としたものである。
【００４０】
図９はこの発明の実施の形態２にかかる空気清浄機の制御の一例を示すフローチャート図、図１０は実施の形態２にかかる空気清浄機の制御の他の例を示すフローチャート図である。まず、図９により実施の形態２の制御動作の一例を説明する。
【００４１】
空気清浄機１の制御部１３は、リモコン１１からの運転指令により空気清浄運転を開始する。まず、図９のステップＳ１１で送風機５の運転を開始する。これによって、室内の空気が給気口２から取り込まれる。また、ステップＳ１２で、制御部１３内に設けられた電気集塵運転タイマをゼロクリアしておく。ステップＳ１３では、ダストセンサ１４により室内の空気中の塵埃量を測定する。制御部１３は、ステップＳ１３で測定された塵埃量と第二の閾値とを比較する（ステップＳ１４）。ここで、塵埃量≧第二の閾値であればステップＳ１５に進み、電気集塵運転タイマのカウントを行う。次に、ステップＳ１６で電気集塵運転タイマが所定値（例えば６０分）以上かどうかを判定する。電気集塵運転タイマが所定値未満の場合は、ステップＳ１７に進み、電気集塵機８のオンおよびバイパス風路７の開放による電気集塵運転を実施する。ステップＳ１６の判定で電気集塵運転タイマが所定値以上の場合は、ステップＳ１８に進み、電気集塵機８のオンおよびバイパス風路７の閉鎖によるダブル集塵運転を実施する。すなわち、電気集塵運転を所定時間（６０分）以上継続して実行しても塵埃量が第二の閾値以上の場合は、電気集塵運転では集塵能力が不足していると判断して、ダブル集塵運転に切り替え、集塵能力を高めて室内の塵埃量低下を図る。
【００４２】
ステップＳ１４で、塵埃量＜第二の閾値であればステップＳ１９に進み、電気集塵運転タイマをゼロクリアする。次に、制御部１３はステップＳ１３で測定された塵埃量と第一の閾値とを比較する（ステップＳ２０）。ここで、塵埃量≧第一の閾値の場合は、ステップＳ１８に進み、電気集塵機８のオンおよびバイパス風路７の閉鎖によるダブル集塵運転を実施する。また、ステップＳ２０の判定で塵埃量＜第一の閾値の場合は、ステップＳ２１に進み、電気集塵機８のオフおよびバイパス風路７の閉鎖によるＨＥＰＡ集塵運転を実施する。ステップＳ１７、ステップＳ１８、ステップＳ２１の処理後はステップＳ１３に戻って以降の制御を繰り返す。
【００４３】
図９に示した例では上記のような制御を行うため、空気中の塵埃量に応じた適切な運転モードでの空気清浄運転を行うなかで、選択した運転モードで一定時間以上運転しても空気中の塵埃量が改善されない場合はより高能力の空気清浄運転に切り替えるようにしているので、室内の空気清浄動作をさらに促進することができる。すなわち、図９は空気清浄力を優先した場合の制御例である。
【００４４】
次に、図１０により実施の形態２の制御動作の別の例を説明する。空気清浄機１の制御部１３は、リモコン１１からの運転指令により空気清浄運転を開始する。まず、ステップＳ３１で送風機５の運転を開始する。これによって、室内の空気が給気口２から取り込まれる。次に、ステップＳ３２で、制御部１３内に設けられたダブル集塵運転タイマをゼロクリアしておく。ステップＳ３３では、ダストセンサ１４により室内の空気中の塵埃量を測定する。制御部１３は、ステップＳ３３で測定された塵埃量と第二の閾値とを比較する（ステップＳ３４）。ここで、塵埃量≧第二の閾値であれば、ダブル集塵運転タイマのクリアを行い（ステップＳ３５）、電気集塵機８のオンおよびバイパス風路７の開放による電気集塵運転を実施する（ステップＳ３６）。
【００４５】
ステップＳ３４で塵埃量＜第二の閾値であれば、ステップＳ３７に進み、ステップＳ３３で測定された塵埃量と第一の閾値とを比較する。ここで、塵埃量≧第一の閾値の場合は、ステップＳ３８に進み、ダブル集塵運転タイマのカウントを行う。次に、ステップＳ３９でダブル集塵運転タイマが所定値（例えば６０分）以上かどうかを判定する。ダブル集塵運転タイマが所定値未満の場合は、ステップＳ４０に進み、電気集塵機８のオンおよびバイパス風路７の閉鎖によるダブル集塵運転を実施する。ステップＳ３９の判定で電気集塵運転タイマが所定値以上の場合は、ステップＳ３６に進み、電気集塵機８のオンおよびバイパス風路７の開放による電気集塵運転を実施する。すなわち、ダブル集塵運転を所定時間（６０分）以上継続して実行しても塵埃量が第一の閾値以上の場合は、ＨＥＰＡフィルタ９での集塵量が多い状態が続いていると考えられ、ＨＥＰＡフィルタ９の交換周期が早まることが懸念される。そこで、電気集塵機８のみによる電気集塵運転に切り替えて、ＨＥＰＡフィルタ９での集塵を軽減させることにより、ＨＥＰＡフィルタ９の交換周期を長くすることができる。
【００４６】
なお、ステップＳ３７の判定で塵埃量＜第一の閾値の場合は、ダブル集塵運転タイマのクリアを行い（ステップＳ４１）、ステップＳ４２に進んで電気集塵機８のオフおよびバイパス風路７の閉鎖によるＨＥＰＡ集塵運転を実施する。ステップＳ３６、ステップＳ４０、ステップＳ４２の処理後はステップＳ３３に戻って以降の制御を繰り返す。
【００４７】
図１０に示した例では上記のような制御を行うため、空気中の塵埃量に応じた適切な運転モードでの空気清浄手段を行うなかで、選択した運転モードで一定時間以上運転しても空気中の塵埃量が多い場合は、ＨＥＰＡフィルタ９のような交換を必要とする空気清浄手段での集塵を抑えるようにしているので、メンテナンス周期を長くすることができる。すなわち、図１０はメンテナンス軽減によりユーザーの使い易さを優先した場合の制御例である。
【００４８】
実施の形態２の空気清浄機１は上記のように構成されているため、実施の形態１同様、空気の汚れ具合などの使用環境条件に応じた適切な空気清浄運転を行い、快適な空気環境を提供することが可能である。また、空気の汚れ具合に加えて、運転継続時間も適切な空気清浄運転を選択するための条件とすることにより、状況に応じた空気清浄動作の促進とユーザーにとっての使い易さとの改善を図ることが可能となる。
【００４９】
実施の形態３．
実施の形態１における空気清浄機１では、室内の空気中の汚れ成分量をリモコン１１に設けられたセンサによって検出する構成とした。実施の形態３における空気清浄機１では、センサを本体ケース４内の給気口２付近に設けた構成としたものである。図１１はこの発明の実施の形態３にかかる空気清浄機の断面構成図である。まず、実施の形態３における空気清浄機１の構成について説明する。
【００５０】
図１１において、空気清浄機１の本体ケース４の給気口２付近に、室内空気中の塵埃量を検出するダストセンサ１５が設けられている。ダストセンサ１５は信号線（図示せず）により制御部１３と接続されている。その他の構成は実施の形態１（図１）と同じであるため説明を省略する。なお、図１１にはリモコン１１を図示していないが、リモコン１１はあってもなくてもよい。すなわち、リモコン１１により操作を行う空気清浄機１であっても、リモコン１１がなく操作部が本体に設けられている空気清浄機１であっても、実施の形態３に示す効果を得ることができる。
【００５１】
次に、実施の形態３における空気清浄機１の動作について説明する。室内空間に向かって開口した給気口２付近に設けられたダストセンサ１５により、室内の空気中の塵埃量が検出され、その情報が制御部１３に送信される。制御部１３は、ダストセンサ１５から送られた空気中の塵埃量の情報に基づき、適切な運転モード（複数の空気清浄手段の組合せ）を選択して、送風機５、電気集塵機８、ダンパ１０などを制御する。なお、細部の説明は実施の形態１と同様なので省略する。
【００５２】
ダストセンサ１５が給気口２付近にある場合、空気清浄手段によって実際に処理する空気の汚れ具合を直接モニタすることができるという利点がある。すなわち、塵埃量など空気の汚れ具合に応じた適切な運転モードを選択して切り替える場合、処理すべき空気から直接モニタしているので、処理対象に対してより正確で適切な制御を実行することが可能となる。
【００５３】
しかし、空気清浄機１が停止（送風機５が停止）していて、部屋内の空気の動きが少なく、ダストセンサ１５付近の空気が滞留しているような場合、ダストセンサ１５が検出する塵埃量と使用者が存在する付近の塵埃量とで値が異なる場合があり得る。このとき、例えば、使用者がいる付近ではかなり空気が汚れているのに、空気清浄機１が運転停止のままという状況が起こりかねない。それに対して、制御部１３は、空気清浄機１の運転が停止（送風機５が停止）している場合であっても、定期的に送風機５を弱運転（例えば３０分のうちの３分間のみ）させ、ダストセンサ１５付近に室内からの空気の流れを発生させ、使用者付近の空気の状態をモニタできるようにする。これにより、空気清浄機１は使用者が居る場所の空気環境に基づいた運転開始動作を行うことが可能となる。
【００５４】
上記の構成によれば、リモコン１１の有無にかかわらず、空気清浄機１はダストセンサ１５による最適な運転モードの選択、切替え運転が可能である。また、実際に清浄化を行う対象の空気の汚れ具合を直接モニタするため、適切な運転モードの切替えをより正確に行うことができる。また、ダストセンサ１５が使用者から離れた本体側に設置されている場合でも、定期的に送風機５を運転させて使用者付近の空気を取り込んでモニタすることにより、使用者付近の空気の汚れ具合に応じた適切な空気清浄運転の開始動作を行うことができる。
【００５５】
実施の形態３の空気清浄機１は上記のように構成されているため、実施の形態１同様、空気の汚れ具合などの使用環境条件に応じた適切な空気清浄運転を行い、快適な空気環境を提供することが可能である。また、空気清浄機１の適切な運転モードの切替えをより正確に実行することができる。
【００５６】
なお、リモコン１１にもダストセンサ１４が備わっている場合には、空気清浄機１が停止状態のとき、リモコン１１側のダストセンサ１４が検出する塵埃量によって運転開始動作を行うようにしてもよい。これにより、定期的に送風機５を弱運転（例えば３０分のうちの３分間のみ）させる必要がなくなり、消費電力を抑制することができる。また、運転モードの切替えをリモコン１１に備わるダストセンサ１４と本体ケース４内の給気口２付近に設けられたダストセンサ１５の何れで実施するかをユーザーがリモコン１１から設定できるようにしてもよい。
【００５７】
また、実施の形態３に記載の空気清浄機１は室内空気を取り込み、空気清浄後に室内へ吹き出す構成としていたが、室外空気を取り込み、空気清浄後に室内へ吹き出す空気清浄機能付きの換気機器に適用するようにしてもよい。例えば、都会の幹線道路付近においては、日中の交通量が多い時間帯は塵埃量が多く、夜間の交通量が少ない時間帯は塵埃量が少なくなるケースが想定できる。このような環境下で使用される換気機器においても、実施の形態１同様、空気の汚れ具合などの使用環境条件に応じた適切な空気清浄運転を行い、快適な空気環境を提供することが可能である。また、ＨＥＰＡフィルタ９などの交換が必要な空気清浄手段に対し、適切な運転モードでの動作によって交換周期を長くすることが可能となるので、交換に伴う作業および費用を軽減することができる。
【００５８】
実施の形態４．
実施の形態１〜３における空気清浄機１では、室内の空気中の汚れ成分量をセンサによって検出し、適切な運転モードを選択する構成とした。実施の形態４における空気清浄機１では、センサを用いずに運転モードの切替えを実現する構成としたものである。図１２はこの発明の実施の形態４にかかる空気清浄機の断面構成図であり、図１３はその制御を示すフローチャート図である。
【００５９】
図１２により、実施の形態４にかかる空気清浄機１の構成について説明する。実施の形態１〜３の空気清浄機１のリモコン１１あるいは本体ケース４内に設けられていたダストセンサ１４，１５を有していない点で異なるが、他は同じ構成である。
【００６０】
次に、図１３により、実施の形態４の制御動作の一例を説明する。空気清浄機１の制御部１３は、リモコン１１からの運転指令により空気清浄運転を開始する。まず、図１３のステップＳ５１で送風機５の運転を開始する。これによって、室内の空気が給気口２から取り込まれる。また、ステップＳ５２で制御部１３内に設けられた空気清浄運転タイマをゼロクリアしておく。
【００６１】
次に、ステップＳ５３で空気清浄運転タイマをカウントし、ステップＳ５４で空気清浄運転タイマが所定値Ｔ１以上か（空気清浄運転を実施している時間がＴ１を経過したか）どうかを判定する。空気清浄運転タイマが所定値Ｔ１未満の場合は、ステップＳ５５に進み、電気集塵機８のオンおよびバイパス風路７の開放による電気集塵運転を実施する。
【００６２】
ステップＳ５４の判定で空気清浄運転タイマが所定値Ｔ１以上の場合は、ステップＳ５６に進み、空気清浄運転タイマが所定値Ｔ２以上か（空気清浄運転を実施している時間がＴ２を経過したか）どうかを判定する。空気清浄運転タイマが所定値Ｔ２未満の場合は、ステップＳ５７に進み、電気集塵機８のオンおよびバイパス風路７の閉鎖によるダブル集塵運転を実施する。
【００６３】
ステップＳ５６の判定で空気清浄運転タイマが所定値Ｔ２以上の場合は、ステップＳ５８に進み、空気清浄運転タイマが所定値Ｔ３以上か（空気清浄運転を実施している時間がＴ３を経過したか）どうかを判定する。空気清浄運転タイマが所定値Ｔ３未満の場合は、ステップＳ５９に進み、電気集塵機８のオフおよびバイパス風路７の閉鎖によるＨＥＰＡ集塵運転を実施する。
【００６４】
ステップＳ５５、ステップＳ５７、ステップＳ５９の処理後はステップＳ５３に戻って以降の制御を繰り返す。ステップＳ５８の判定で空気清浄運転タイマが所定値Ｔ３以上の場合は、ステップＳ６０に進み、送風機５を停止（空気清浄機１の運転を停止）する。
【００６５】
上記の構成によれば、空気清浄機１の運転開始から所定の時間が経過する毎に、運転モードを電気集塵運転、ダブル集塵運転およびＨＥＰＡ集塵運転の順に切り替え、最後に停止する制御が実行される。すなわち、ある運転モードを所定の時間継続することによって空気の汚れがどのように改善されるかをあらかじめ想定しておき、実際の運転時間に基づいて運転モードを切り替える制御を行うものである。
【００６６】
実施の形態４の空気清浄機１は上記のように構成されているため、実施の形態１同様、空気の汚れ具合などの使用環境条件に応じた適切な空気清浄運転を行い、快適な空気環境を提供することが可能である。また、空気汚れの改善を運転時間で推定するため、ダストセンサ１４，１５を必要としない安価な空気清浄機１を提供することができる。なお、ダストセンサ１４，１５を搭載した空気清浄機１であっても、センサが検出した汚れ成分量と運転時間のどちらに基づいて運転モードを切り替える制御を行うかを、リモコン操作などから選択できるようにしてもよい。
【００６７】
実施の形態５．
実施の形態１〜４における空気清浄機１では、室内の空気中の汚れ成分として塵埃を対象とし、空気清浄手段として集塵を目的とした電気集塵機８およびＨＥＰＡフィルタ９を用いる構成とした。実施の形態５における空気清浄機では、室内の空気中の汚れ成分として臭気を対象とし、空気清浄手段として脱臭フィルタなどを用いる構成としたものである。図１４はこの発明の実施の形態５にかかる空気清浄機の断面構成図である。
【００６８】
まず、図１４を用いて実施の形態５にかかる空気清浄機１００の構成を説明する。図１４において、空気清浄機１００は、室内空気を取り込むための給気口２と、空気清浄手段により清浄にした空気を室内へ供給するための排気口３とが設けられた本体ケース４を有し、本体ケース４内には給気口２と排気口３とを連結する通風路６と、通風路６内に配置されたファン５ａとモータ５ｂとからなる送風機５とを備えている。また、通風路６内に、給気口２から見てファン５ａより下流側に、取り込んだ空気を脱臭するためのオゾンを発生する空気清浄手段であり第１の空気清浄手段としてのオゾン発生器１０８と、オゾン発生器１０８のさらに下流側に、オゾン発生器１０８を通過した空気に対してさらに脱臭を行う空気清浄手段であり第２の空気清浄手段としての脱臭フィルタ１０９とが配置されている。また、オゾン発生器１０８を通過した空気を脱臭フィルタ１０９を通さずに排気口３へ導くバイパス風路７と、オゾン発生器１０８を通過した空気を脱臭フィルタ１０９側に通すかバイパス風路７側に通すかを切り替えるためのダンパ１０とが設けられている。さらに、送風機５、オゾン発生器１０８、ダンパ１０の動作を制御する制御部１３を有し、制御部１３には通信線１２を介してリモコン１１が接続されている。リモコン１１内には、室内空気の臭い成分量を検知する臭いセンサ１１４が備えられており、リモコン１１に対するボタン操作（空気清浄運転の開始または停止など）および臭いセンサ１１４によって検知した室内空気の臭い成分量に基づく動作指令を制御部１３に送信する。
【００６９】
なお、図１４において、実線の矢印Ａは送風機５によって給気口２からオゾン発生器１０８および脱臭フィルタ１０９を通過して排気口３から排出される空気の流れを示したものであり、点線の矢印Ｂは脱臭フィルタ１０９を通らずにバイパス風路７を経由して排気口３から排出される空気の流れを示したものである。
【００７０】
オゾン発生器１０８は、ガラス等の誘電体を挟んだ電極間に交流高電圧を印加し、電極間の酸素を解離または励起させることでオゾン（Ｏ３）へと変化させる。オゾンは極めて不安定で反応性が高いため、雑菌および臭いの原因分子と反応し、オゾン自身は酸素に戻るとともに、雑菌および臭いの原因分子を酸化分解する。すなわち、オゾン発生器１０８を運転（電極間に交流高電圧を印加）することにより、空気中の殺菌および脱臭を行うことができる。
【００７１】
脱臭フィルタ１０９は臭いの原因分子を吸着して除去する。脱臭フィルタ１０９は臭いの原因分子を分解する訳ではないため、吸着できる量には限りがあり、吸着した臭いの原因分子が多くなると、脱臭フィルタ１０９自体から悪臭が発生することもある。したがって、定期的に脱臭フィルタ１０９の交換を行う必要がある。
【００７２】
次に、実施の形態５における空気清浄機１００の動作について説明するが、基本的には、実施の形態１と同様の動作となる。すなわち、制御部１３は、臭いセンサ１１４が検知した室内空気の臭い成分量とあらかじめ設定された閾値との比較を行い、その比較結果に基づいて、オゾン発生器１０８の制御（電極への交流高電圧の印加のオンとオフ）とダンパ１０の切替え制御との組み合わせにより、空気清浄機１００の運転モードを決定する。運転モードには、例えば以下の３つがある。
（１）オゾン発生器１０８および脱臭フィルタ１０９を用いた脱臭（ダブル脱臭運転）
（２）オゾン発生器１０８のみを用いた脱臭（オゾン脱臭運転）
（３）脱臭フィルタ１０９のみを用いた脱臭（フィルタ脱臭運転）
【００７３】
次に、それぞれの運転モードの特徴を簡単に示す。
（１）ダブル脱臭運転
オゾン発生器１０８を運転（電極間に交流高電圧を印加）してオゾンを発生することで脱臭し、さらにダンパ１０によりバイパス風路７を閉鎖することで脱臭フィルタ１０９でも脱臭する（オゾン脱臭機能：有効、フィルタ脱臭機能：有効）。これによって、非常に高い脱臭効果が得られる。また、オゾン脱臭を行った後の空気を脱臭フィルタ１０９に通すことで、脱臭フィルタ１０９での臭気分子の吸着量を軽減できるため、脱臭フィルタ１０９の交換周期を長くすることができる。
（２）オゾン脱臭運転
オゾン発生器１０８を運転（電極間に交流高電圧を印加）してオゾンを発生することで脱臭し、ダンパ１０によりバイパス風路７を開放することでオゾン脱臭後の空気を脱臭フィルタ１０９側ではなくバイパス風路７側を通過させる（オゾン脱臭機能：有効、フィルタ脱臭機能：無効）。したがって、脱臭フィルタ１０９による脱臭は行わない。これによって、脱臭効果はダブル脱臭運転に比べると低下するが、脱臭フィルタ１０９に臭気分子が吸着することを抑制できるため、脱臭フィルタ１０９の交換周期を長くすることができる。
（３）フィルタ脱臭運転
オゾン発生器１０８を停止（電極間に交流高電圧を印加しない）することでオゾン発生による脱臭は行わないが、ダンパ１０によりバイパス風路７を閉鎖することで、オゾン発生器１０８を通過してきた空気を脱臭フィルタ１０９で脱臭する（オゾン脱臭機能：無効、フィルタ脱臭機能：有効）。これによって、ダブル脱臭運転よりも脱臭効果は劣るものの、オゾン発生器１０８の停止により、消費電力を低く抑えることができる。
【００７４】
実施の形態５の空気清浄機１００は上記のように構成されているため、実施の形態１同様、空気の汚れ具合などの使用環境条件に応じた適切な空気清浄運転を行い、快適な空気環境を提供することが可能である。また、脱臭フィルタ１０９など交換が必要な空気清浄手段に対し、適切な運転モードでの動作によって交換周期を長くすることが可能となるので、交換に伴う作業および費用を軽減することができる。
【００７５】
なお、実施の形態５の構成に対し、実施の形態２〜４の構成あるいは制御を適用することも可能である。また、実施の形態１〜４では集塵、実施の形態５では脱臭についての例を示したが、これらの構成は塵、臭いに限らず、さらに他の化学物質またはＰＭ２．５などの除去に用いる様々な空気清浄手段を搭載した製品にも適用可能である。
【００７６】
実施の形態６．
実施の形態１〜５における空気清浄機１，１００では、空気清浄手段への電源制御とダンパ１０およびバイパス風路７による空気清浄手段への空気通過の制御とを行って、運転モードを切り替え、適切な空気清浄運転を行う構成とした。実施の形態６における空気清浄機２００では、ダンパ１０およびバイパス風路７を設けずに適切な空気清浄運転を行う構成としたものである。図１５はこの発明の実施の形態６にかかる空気清浄機の断面構成図である。
【００７７】
まず、図１５により、実施の形態６における空気清浄機２００の構成について説明する。図１５において、空気清浄機２００は、室内空気を取り込むための給気口２と、空気清浄手段により清浄にした空気を室内へ供給するための排気口３とが設けられた本体ケース４を有し、本体ケース４内には給気口２と排気口３とを連結する通風路６と、通風路６内に配置されたファン５ａとモータ５ｂとからなる送風機５とを備えている。また、通風路６内に、給気口２から見てファン５ａより下流側に、取り込んだ空気に対して電気集塵を行う電気集塵機８と、電気集塵機８のさらに下流側に、電気集塵機８を通過した空気に対して集塵を行うＨＥＰＡフィルタ９とが配置されている。また、送風機５、電気集塵機８の動作を制御する制御部１３を有し、制御部１３には通信線１２を介してリモコン１１が接続されている。リモコン１１には、室内空気の塵の量を検知するダストセンサ１４が備えられており、リモコン１１に対するボタン操作（空気清浄運転の開始または停止など）およびダストセンサ１４による室内空気の塵の量に基づく動作指令を制御部１３に送信する。
【００７８】
次に、実施の形態６の制御動作の一例を説明する。空気清浄機２００の制御部１３は、ダストセンサ１４の検知した室内空気の塵埃量に基づき、電気集塵機８の電源制御（電極への高電圧の印加のオンとオフ）を行うことで空気清浄機１の運転モードを決定する。運転モードには、例えば以下に示す２つがある。
（１）電気集塵機８およびＨＥＰＡフィルタ９を用いた集塵（ダブル集塵運転）
（２）ＨＥＰＡフィルタ９のみを用いた集塵（ＨＥＰＡ集塵運転）
【００７９】
前述したように、ダブル集塵運転は、非常に高い集塵率が得られるとともに、ＨＥＰＡフィルタ９での集塵量が軽減され、ＨＥＰＡフィルタ９の交換周期を長くする効果が得られる。また、ＨＥＰＡ集塵運転は、ダブル集塵運転よりも集塵率はわずかに劣るもののほぼ同等の高い集塵率が得られるとともに、電気集塵を行っていないため消費電力を削減できる。
【００８０】
実施の形態６の空気清浄機２００は上記のように構成されているため、実施の形態１同様、空気の汚れ具合などの使用環境条件に応じた適切な空気清浄運転を行い、快適な空気環境を提供することが可能である。また、ＨＥＰＡフィルタ９などの交換が必要な空気清浄手段に対し、適切な運転モードでの動作によって交換周期を長くすることが可能となるので、交換に伴う作業および費用を軽減することができる。
【００８１】
なお、実施の形態６の変形例として、ダストセンサ１４を設けない構成も可能である。すなわち、空気清浄機２００は、空気清浄運転時には常に電気集塵機８の運転（電極間に高電圧を印加）を行うものとする。これにより、給気口２から取り込まれた空気は、電気集塵機８により集塵され、次にＨＥＰＡフィルタ９により集塵される。すなわち、空気清浄運転時は常にダブル集塵運転を行うことになる。ダブル集塵運転なので、非常に高い集塵率が得られるとともに、ＨＥＰＡフィルタ９での集塵量が軽減され、ＨＥＰＡフィルタ９の交換周期を長くすることができる。すなわち、高い集塵率の空気清浄運転により快適な空気環境を提供することができるとともに、メンテナンス作業を軽減することが可能である。
【００８２】
実施の形態１から６の空気清浄機１，１００，２００における制御部１３の機能は、処理回路により実現される。空気清浄機１，１００，２００は、送風手段の運転を制御するための処理回路を備える。処理回路は、専用のハードウェアであっても良く、メモリに格納されるプログラムを実行するプロセッサであっても良い。
【００８３】
図１６は、実施の形態１から６の空気清浄機１，１００，２００における制御部１３の機能が専用のハードウェアにより実現される場合の制御部１３の構成図である。専用のハードウェアである処理回路３１は、単一回路、複合回路、プログラム化されたプロセッサ、並列プログラム化したプロセッサ、ＡＳＩＣ（Application  Specific  Integrated  Circuit）、ＦＰＧＡ（Field-Programmable  Gate  Array）、又はこれらの組み合わせである。
【００８４】
図１７は、実施の形態１から６の空気清浄機１，１００，２００における制御部１３の機能が、メモリに格納されるプログラムを実行するプロセッサにより実現される場合の制御部１３の構成図である。プロセッサ３２は、ＣＰＵ（Central  Processing  Unit）、処理装置、演算装置、マイクロプロセッサ、マイクロコンピュータ、又はＤＳＰ（Digital  Signal  Processor）である。制御部１３の機能は、プロセッサ３２と、ソフトウェア、ファームウェア、又はソフトウェアとファームウェアとの組み合わせにより実現される。ソフトウェア又はファームウェアは、プログラムとして記述され、メモリ３３に格納される。メモリ３３は、ＲＡＭ（Random  Access  Memory）、ＲＯＭ（Read  Only  Memory）、フラッシュメモリ、ＥＰＲＯＭ（Erasable  Programmable  Read  Only  Memory）、ＥＥＰＲＯＭ（登録商標）（Electrically  Erasable  Programmable  Read  Only  Memory）等の不揮発性もしくは揮発性の半導体メモリ等の内蔵メモリである。
【００８５】
なお、制御部１３の機能の一部が専用のハードウェアにより実現され、制御部１３の機能のその他の部分がソフトウェアあるいはファームウェアにより実現されても良い。このように、制御部１３の機能は、ハードウェア、ソフトウェア、ファームウェア、又はこれらの組み合わせによって実現することができる。
【００８６】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００８７】
１，１００，２００  空気清浄機、２  給気口、３  排気口、４  本体ケース、５  送風機、５ａ  ファン、５ｂ  モータ、６  通風路、７  バイパス風路、８  電気集塵機、９  ＨＥＰＡフィルタ、１０  ダンパ、１１  リモコン、１２  通信線、１３  制御部、１４  ダストセンサ、３１  処理回路、３２  プロセッサ、３３  メモリ、１０８  オゾン発生器、１０９  脱臭フィルタ、１１４  臭いセンサ。
【図１】
2020109350.tif 000003
【図２】
2020109350.tif 000004
【図３】
2020109350.tif 000005
【図４】
2020109350.tif 000006
【図５】
2020109350.tif 000007
【図６】
2020109350.tif 000008
【図７】
2020109350.tif 000009
【図８】
2020109350.tif 000010
【図９】
2020109350.tif 000011
【図１０】
2020109350.tif 000012
【図１１】
2020109350.tif 000013
【図１２】
2020109350.tif 000014
【図１３】
2020109350.tif 000015
【図１４】
2020109350.tif 000016
【図１５】
2020109350.tif 000017
【図１６】
2020109350.tif 000018
【図１７】
2020109350.tif 000019